(57)【要約】【課題】  本体側給紙カセットが設けられた装置本体の底面部の下に、増設側給紙カセットが設けられた増設給紙装置を装着させた場合に、増設側給紙カセットにおける記録シートの状態を、装置本体側から確認して、増設給紙装置内に詰まった記録シートを簡単に取り出せるようにする。【解決手段】  本体側給紙カセット11a,11bが設けられた底板を有する装置本体10の底面部10aの下に、増設側給紙カセット21a,21bが設けられた増設給紙装置20を装着させた画像形成装置1において、装置本体の底面部の上の本体側給紙カセット11bを取り出した状態で、増設給紙装置に装着された増設側給紙カセット21aに収容された記録シートSの状態を装置本体側から確認する開口部30を、装置本体の底面部とその下における増設給紙装置の上面部20aとを連通するように設けた。【選択図】  図５
2017024822.tif 000002
【特許請求の範囲】
【請求項１】
底板を有する装置本体の底面部の上に本体側給紙カセットが取り出し自在に設けられると共に、この装置本体の底面部の下に増設給紙装置が装着され、この増設給紙装置に増設側給紙カセットが取り出し自在に設けられてなる画像形成装置において、前記の装置本体の底面部の上に装着された本体側給紙カセットを取り出した状態で、前記の増設給紙装置に装着された増設側給紙カセットに収容された記録シートの状態を装置本体側から確認する開口部を、前記の装置本体の底面部と装置本体の底面部の下に設けられた増設給紙装置の上面部とを連通するように設けたことを特徴とする画像形成装置。
【請求項２】
請求項１に記載の画像形成装置において、装置本体の底面部の上に装着された本体側給紙カセットを取り出した状態で、増設給紙装置に装着された増設側給紙カセットに収容された記録シートを、前記の開口部を通して装置本体側から取り出すことを特徴とする画像形成装置。
【請求項３】
請求項１又は請求項２に記載の画像形成装置において、前記の開口部を、前記の増設給紙装置における増設側給紙カセットから記録シートを給紙させるローラー部材よりも記録シートの搬送方向の下流側で、増設側給紙カセットに収容された記録シートと対面する位置に設けたことを特徴とする画像形成装置。
【発明の詳細な説明】
【技術分野】
【０００１】
本発明は、複写機、プリンター、ファクシミリ及びこれらの複合機等の画像形成装置に関するものである。特に、底板を有する装置本体の底面部の上に本体側給紙カセットが取り出し自在に設けられると共に、この装置本体の底面部の下に増設給紙装置が装着され、この増設給紙装置に増設側給紙カセットが取り出し自在に設けられてなる画像形成装置において、増設側給紙カセットに収容された記録シートの状態を装置本体側から簡単に確認できるようにすると共に、増設側給紙カセットから給紙された記録シートが増設給紙装置内において詰まった場合に、詰まった記録シートを、装置本体側から簡単に取り出すことができるようにした点に特徴を有するものである。
【背景技術】
【０００２】
従来から、複写機，プリンター，ファクシミリ及びこれらの複合機等の画像形成装置においては、様々な種類や大きさの記録シートを給紙させて画像形成を行うため、特許文献１，２等に示されるように、本体側給紙カセットが取り出し自在に設けられた底板を有する装置本体の底面部の下に、増設側給紙カセットが取り出し自在に設けられた増設給紙装置を装着させて、本体側給紙カセットと増設側給紙カセットとにより数多くの種類の記録シートを給紙させるようにしたものが使用されている。
【０００３】
ここで、このように装置本体の底面部の下に増設給紙装置を装着させた画像形成装置において、増設給紙装置に設けられた増設側給紙カセットから記録シートをローラー部材により給紙させて画像形成を行う場合に、記録シートが増設側給紙カセットから適切に給紙されず、記録シートがローラー部材間に挟まったりして、増設給紙装置内に記録シートが詰まるということがあった。
【０００４】
そして、このように増設側給紙カセットから適切に給紙されずに、記録シートが増設給紙装置内に詰まった場合に、特許文献１，２等に示される従来の画像形成装置においては、増設給紙装置の側面側に設けられた処理用扉を開けて、ローラー部材間に挟まって詰まった状態にある記録シートを増設給紙装置内から取り出すようにしていた。
【０００５】
ここで、このようにして増設給紙装置内に詰まった記録シートを取り出すにあたり、記録シートが前記のローラー部材よりも処理用扉側に突出された状態で存在すると、処理用扉を開けて、ローラー部材間に挟まった状態にある記録シートを増設給紙装置内に適切に取り出すことができる。
【０００６】
しかし、記録シートの先端がローラー部材の間に詰まった状態である場合や、ローラー部材から突出している記録シートの長さが短いような場合には、前記のように処理用扉を開けても、ローラー部材間に挟まった状態にある記録シートを増設給紙装置内から取り出すことが非常に困難であった。
【０００７】
また、このように増設給紙装置内に記録シートが詰まった状態において、記録シートが詰まった増設側給紙カセットを増設給紙装置から取り出すことも行われている。しかし、この場合、ローラー部材間に挟まった記録シートによって増設側給紙カセットの取り出しが困難になると共に、この状態で増設側給紙カセットを取り出すと、ローラー部材間に挟まった状態にある記録シートが破れて、記録シートの一部がローラー部材間に挟まった状態で残ったり、ローラー部材が記録シートによって傷ついたりするという問題があった。
【０００８】
また、従来においては、特許文献３に示されるように、装置本体の底面に開口を設け、装置本体を立てることにより搬送経路でジャムした記録シートを取り出すようにしたものも示されている。
【０００９】
しかし、特許文献３に示されるものは、前記の画像形成装置のように、装置本体の底面部の下に増設給紙装置を装着させるような構成にはなっておらず、このように装置本体の底面部の下に増設給紙装置を装着させた画像形成装置の場合、特許文献３に示されるように、装置本体を立てて搬送経路でジャムした記録シートを取り出すということはできなかった。
【先行技術文献】
【特許文献】
【００１０】
【特許文献１】特開２０１３−８８５７７号公報。
【特許文献２】特開２０１２−１５０１５１号公報。
【特許文献３】特開平７−８９６３１号公報。
【発明の開示】
【発明が解決しようとする課題】
【００１１】
本発明は、底板を有する装置本体の底面部の上に本体側給紙カセットが取り出し自在に設けられると共に、この装置本体の底面部の下に増設給紙装置が装着され、この増設給紙装置に増設側給紙カセットが取り出し自在に設けられた画像形成装置における前記のような問題を解決することを課題とするものである。
【００１２】
すなわち、本発明は、前記のような画像形成装置において、増設側給紙カセットに収容された記録シートの状態を装置本体側から簡単に確認できるようにすると共に、増設側給紙カセットから給紙された記録シートが増設給紙装置内において詰まった場合に、詰まった記録シートを、装置本体側から簡単に取り出すことができるようにすることを課題とするものである。
【課題を解決するための手段】
【００１３】
本発明に係る画像形成装置においては、前記のような課題を解決するため、底板を有する装置本体の底面部の上に本体側給紙カセットが取り出し自在に設けられると共に、この装置本体の底面部の下に増設給紙装置が装着され、この増設給紙装置に増設側給紙カセットが取り出し自在に設けられてなる画像形成装置において、前記の装置本体の底面部の上に装着された本体側給紙カセットを取り出した状態で、前記の増設給紙装置に装着された増設側給紙カセットに収容された記録シートの状態を装置本体側から確認する開口部を、前記の装置本体の底面部と装置本体の底面部の下に設けられた増設給紙装置の上面部とを連通するように設けた。
【００１４】
そして、この画像形成装置においては、装置本体の底面部の上に装着された本体側給紙カセットを取り出した状態で、増設給紙装置に装着された増設側給紙カセットに収容された記録シートを、前記の開口部を通して装置本体側から取り出すようにすることができる。
【００１５】
また、この画像形成装置においては、前記の開口部を、前記の増設給紙装置における増設側給紙カセットから記録シートを給紙させるローラー部材よりも記録シートの搬送方向の下流側で、増設側給紙カセットに収容された記録シートと対面する位置に設けるようにすることができる。
【発明の効果】
【００１６】
本発明の画像形成装置においては、前記のように装置本体の底面部の上に装着された本体側給紙カセットを取り出した状態で、前記の増設給紙装置に装着された増設側給紙カセットに収容された記録シートの状態を装置本体側から確認する開口部を、前記の装置本体の底面部と装置本体の底面部の下に設けられた増設給紙装置の上面部とを連通するように設けたため、装置本体の底面部の上に装着された本体側給紙カセットを取り出して、増設給紙装置に装着された増設側給紙カセットにおける記録シートの状態を簡単に確認することができるようになる。
【００１７】
また、本発明の画像形成装置においては、増設給紙装置における増設側給紙カセットから記録シートがローラー部材によって適切に給紙されず、記録シートの先端がローラー部材間に挟まって、記録シートが増設給紙装置内に詰まった場合においても、前記の開口部を通して、増設給紙装置内に詰まった状態にある記録シートを装置本体側から簡単に取り出すことができるようになる。
【００１８】
この結果、本発明の画像形成装置においては、増設側給紙カセットから給紙された記録シートの先端がローラー部材間に挟まって記録シートが増設給紙装置内に詰まった場合、増設給紙装置の側面側に設けられた処理用扉を開けて、増設給紙装置内に詰まった記録シートを取り出す従来の場合に比べて、先端がローラー部材間に挟まった記録シートを前記の開口部を通して装置本体側から簡単に取り出すことができるようになり、また記録シートが詰まった増設側給紙カセットを増設給紙装置から取り出す場合のように、ローラー部材間に挟まった記録シートによって増設側給紙カセットの取り出しが困難になったり、増設側給紙カセットを取り出す際に、ローラー部材間に挟まった状態にある記録シートが破れて、記録シートの一部がローラー部材間に挟まった状態で残ったり、ローラー部材が記録シートによって傷ついたりするということもなくなる。
【図面の簡単な説明】
【００１９】
【図１】本体側給紙カセットが取り出し自在に設けられた底板を有する装置本体の底面部の下に、増設側給紙カセットが取り出し自在に設けられた増設給紙装置が装着された本発明の実施形態に係る画像形成装置において、装置本体に設けられた本体側処理用扉と、増設給紙装置に設けられた増設側処理用扉を開けた状態を示した概略正面図である。
【図２】前記の実施形態における画像形成装置において、装置本体における本体側給紙カセットや、増設給紙装置における増設側給紙カセットから記録シートを給紙させて画像形成を行う状態を示した概略説明図である。
【図３】前記の実施形態に係る画像形成装置において、装置本体の底面部と増設給紙装置の上面部とを連通するようにして開口部を設けた状態を、装置本体の底面部側に位置する下段の本体側給紙カセットを取り外して見た概略平面図である。
【図４】前記の実施形態に係る画像形成装置において、増設給紙装置に設けられた上側の増設側給紙カセットから給紙された記録シートの先端がローラー部材よりも下流側にある程度突出された状態で詰まった場合に、増設給紙装置に設けられた増設側処理用扉を開けて、詰まった記録シートを取り出す状態を示した概略説明図である。
【図５】前記の実施形態に係る画像形成装置において、増設給紙装置に設けられた上側の増設側給紙カセットから給紙された記録シートの先端がローラー部材間に挟まって詰まった場合に、本体側給紙カセットを装置本体から取り出し、装置本体の底面部と増設給紙装置の上面部とを連通する開口部を通して、増設給紙装置内に詰まった状態にある記録シートを装置本体側に取り出す状態を示した概略説明図である。
【発明を実施するための最良の形態】
【００２０】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２１】
この実施形態の画像形成装置１においては、図１及び図２に示すように、装置本体１０の底面部１０ａの上に２段の本体側給紙カセット１１ａ，１１ｂが前面側に引き出すようにして取り出し自在に設けられると共に、装置本体１０の底面部１０ａの下に増設給紙装置２０が装着され、この増設給紙装置２０に２段の増設側給紙カセット２１ａ，２１ｂが前面側に引き出すようにして取り出し自在に設けられている。
【００２２】
また、前記の装置本体１０の側面部に、装置本体１０内において詰まった記録シートＳの処理等を行うための本体側処理用扉１２が設けられると共に、増設給紙装置２０の側面側にも増設給紙装置２０内において詰まった記録シートＳの処理等を行うための増設側処理用扉２２が設けられている。
【００２３】
そして、前記の装置本体１０内においては、前記の各本体側給紙カセット１１ａ，１１ｂ内に収容された記録シートＳを引き出して給紙させるためのピックアップローラー１３ａ１，１３ｂ１と給紙ローラー１３ａ２，１３ｂ２と捌きローラー１３ａ３，１３ｂ３とからなるローラー部材１３ａ，１３ｂを、それぞれ各本体側給紙カセット１１ａ，１１ｂに対応させて設けている。
【００２４】
また、増設給紙装置２０内においては、前記の各増設側給紙カセット２１ａ，２１ｂ内に収容された記録シートＳを引き出して給紙させるためのピックアップローラー２３ａ１，２３ｂ１と給紙ローラー２３ａ２，２３ｂ２と捌きローラー２３ａ３，２３ｂ３とからなるローラー部材２３ａ，２３ｂを、それぞれ各増設側給紙カセット２１ａ，２１ｂに対応させて設けている。
【００２５】
そして、この実施形態の画像形成装置１においては、装置本体１０内に４つのイメージングカートリッジ１００Ａ〜１００Ｄを装着させるようにしている。
【００２６】
ここで、前記の各イメージングカートリッジ１００Ａ〜１００Ｄにおいては、感光体１０１と、この感光体１０１の表面を帯電させる帯電装置１０２と、帯電された感光体１０１の表面に画像情報に応じた露光を行って感光体１０１の表面に静電潜像を形成する潜像形成装置１０３と、感光体１０１の表面に形成された静電潜像にトナーを供給してトナー画像を形成する現像装置１０４と、感光体１０１の表面に形成されたトナー画像を中間転写ベルト１１０に転写させた後に残留するトナーを感光体１０１の表面から除去するクリーニング装置１０５とを設けている。
【００２７】
また、前記の各イメージングカートリッジ１００Ａ〜１００Ｄにおける現像装置１０４においては、それぞれ色彩の異なったトナーを収容させ、黒色，黄色，マゼンダ色，シアン色のトナーを収容させている。
【００２８】
そして、この実施形態に係る画像形成装置１によって画像形成を行うにあたっては、前記の各イメージングカートリッジ１００Ａ〜１００Ｄにおいて、それぞれ感光体１０１の表面を帯電装置１０２によって帯電させ、このように帯電された各感光体１０１の表面に、それぞれ潜像形成装置１０３によって画像情報に応じた露光を行い、各感光体１０１の表面にそれぞれ画像情報に応じた静電潜像を形成し、このように各感光体１０１の表面に形成されたそれぞれの静電潜像に、前記の各現像装置１０４からそれぞれの色彩のトナーを供給して、各感光体１０１の表面にそれぞれの色彩のトナー画像を形成させるようにする。
【００２９】
次いで、このような各イメージングカートリッジ１００Ａ〜１００Ｄにおける各感光体１０１の表面に形成された各色彩のトナー画像を、回転ローラー１１１に架け渡されて回転駆動される中間転写ベルト１１０の上に一次転写ローラー１１２により順々に転写させて、この中間転写ベルト１１０の上に合成されたトナー画像を形成し、このように中間転写ベルト１１０の上に形成されたトナー画像を二次転写ローラー１１３と対向する位置に導くようにする。
【００３０】
また、中間転写ベルト１１０に転写されずに各感光体１０１の表面に残留するトナーを、それぞれ前記のクリーニング装置１０５によって各感光体１０１の表面から除去させるようにする。
【００３１】
そして、前記のように装置本体１０の底面部１０ａに設けられた本体側給紙カセット１１ａ，１１ｂと、増設給紙装置２０に設けられた増設側給紙カセット２１ａ，２１ｂとの何れか１つから記録シートＳを、対応するローラー部材１３ａ，１３ｂ、ローラー部材２３ａ，２３ｂにより給紙させ、このように給紙された記録シートＳをタイミングローラー１１４に送るようにする。
【００３２】
そして、このようにタイミングローラー１１４に送られた記録シートＳを、このタイミングローラー１１４により、適当なタイミングで前記の中間転写ベルト１１０と二次転写ローラー１１３との間に導き、中間転写ベルト１１０上に形成されたトナー画像を前記の記録シートＳに転写させると共に、記録シートＳに転写されずに中間転写ベルト１１０上に残ったトナーを、第２クリーニング装置１１５によって中間転写ベルト１１０から除去させるようにする。
【００３３】
次いで、前記のようにトナー画像が転写された記録シートＳを定着装置１１６に導き、この定着装置１１６において、前記のトナー画像を記録シートＳに定着させた後、このようにトナー画像が定着された記録シートＳを、排紙ローラー１１７によって排紙部１１８の上に排紙させるようにする。
【００３４】
ここで、この実施形態に係る画像形成装置１においては、図２〜図５に示すように、本体側給紙カセット１１ａ，１１ｂが設けられた前記の装置本体１０の底面部１０ａと、この底面部１０ａに対面する増設給紙装置２０の上面部２０ａとを連通するようにして開口部３０を設けている。
【００３５】
そして、前記のように装置本体１０の底面部１０ａと増設給紙装置２０の上面部２０ａとを連通するようにして開口部３０を設けるにあたり、この実施形態においては、図３に示すように、装置本体１０の底面部１０ａ側に位置する下段の本体側給紙カセット１１ｂを装置本体１０から取り出した状態で、増設給紙装置２０に設けられた増設側給紙カセット２１ａに収容された記録シートＳが最小の大きさであっても、この開口部３０を通して増設側給紙カセット２１ａに収容された記録シートＳを確認できると共に、増設側給紙カセット２１ａに収容された記録シートＳをこの開口部３０を通して装置本体１０側に取り出せるように、開口部３０の位置及び大きさを適切に設定して設けている。また、この実施形態においては、増設給紙装置２０に設けられた前記のローラー部材２３ａに、人が開口部３０を通して勝手に触れないように、開口部３０をローラー部材２３ａが露出しない位置に設けている。
【００３６】
ここで、この実施形態に係る画像形成装置１において、増設給紙装置２０に設けられた上側の増設側給紙カセット２１ａから記録シートＳをローラー部材２３ａによって給紙させるにあたり、図４に示すように、給紙された記録シートＳがローラー部材２３ａによりある程度送り出され、記録シートＳの先端がローラー部材２３ａよりも下流側にある程度突出された状態で、記録シートＳが増設給紙装置２０内に詰まった場合には、この増設給紙装置２０に設けられた前記の増設側処理用扉２２を開け、この状態で、ローラー部材２３ａよりも下流側に突出された記録シートＳの先端部を掴んで、増設給紙装置２０内に詰まった記録シートＳを外部に引き出すようにして取り出すことができる。
【００３７】
しかし、図５に示すように、上側の増設側給紙カセット２１ａから給紙された記録シートＳの先端がローラー部材２３ａから殆ど突出していない状態で、記録シートＳが増設給紙装置２０内に詰まった場合には、前記のように増設給紙装置２０に設けられた増設側処理用扉２２を開けても、増設給紙装置２０内に詰まった記録シートＳの先端部を掴んで引き出すことができない。
【００３８】
このため、この実施形態に係る画像形成装置１においては、図５に示すように、装置本体１０の底面部１０ａ側に位置する下の本体側給紙カセット１１ｂを装置本体１０から取り出し、図３に示すように、装置本体１０の底面部１０ａと増設給紙装置２０の上面部２０ａとを連通する開口部３０を露出させ、前記のように増設側給紙カセット２１ａから給紙されて増設給紙装置２０内に詰まった状態にある前記の記録シートＳを、この開口部３０を通して装置本体１０側に取り出すようにする。なお、このように増設側給紙カセット２１ａから給紙されて増設給紙装置２０内に詰まった状態にある記録シートＳを、前記の開口部３０を通して装置本体１０側に取り出す際に、手が開口部３０の縁に触れて傷ついたりするのを防止するため、開口部３０の周縁を縁絞りしたり、エッジ処理することが好ましい。
【００３９】
このようにすると、増設側給紙カセット２１ａから給紙された記録シートＳの先端がローラー部材２３ａから殆ど突出していない状態で、記録シートＳが増設給紙装置２０内に詰まった場合においても、増設給紙装置２０内に詰まった記録シートＳを前記のように開口部３０を通して装置本体１０側に簡単に取り出すことができるようになる。
【００４０】
また、前記のように増設側給紙カセット２１ａから給紙された記録シートＳが増設給紙装置２０内に詰まった状態で、この増設側給紙カセット２１ａを無理矢理に増設給紙装置２０から取り出す場合のように、ローラー部材２３ａに挟まった記録シートＳによって増設側給紙カセット２１ａの取り出しが困難になったり、増設側給紙カセット２１ａを取り出す際に、ローラー部材２３ａに挟まった状態にある記録シートＳが破れて、記録シートＳの一部がローラー部材２３ａに挟まった状態で残ったり、ローラー部材２３ａが記録シートＳによって傷ついたりするということもなくなる。
【００４１】
なお、増設給紙装置２０における下側の増設側給紙カセット２１ｂから給紙された記録シートＳが、前記のようにしてローラー部材２３ｂに挟まって詰まった場合には、図示していないが、増設給紙装置２０における上側の増設側給紙カセット２１ａを増設給紙装置２０から取り出し、このように上側の増設側給紙カセット２１ａを取り出した部分を通して、下側の増設側給紙カセット２１ｂにおけるローラー部材２３ｂに詰まった記録シートＳを取り出すようにすることができる。
【符号の説明】
【００４２】
１：画像形成装置
１０：装置本体、１０ａ：底面部
１１ａ、１１ｂ：本体側給紙カセット
１２：本体側処理用扉
１３ａ：ローラー部材、１３ａ１：ピックアップローラー、１３ａ２：給紙ローラー、１３ａ３：捌きローラー
１３ｂ：ローラー部材、１３ｂ１：ピックアップローラー、１３ｂ２：給紙ローラー、１３ｂ３：捌きローラー
２０：増設給紙装置、２０ａ：上面部
２１ａ、２１ｂ：増設側給紙カセット
２２：増設側処理用扉
２３ａ：ローラー部材、２３ａ１：ピックアップローラー、２３ａ２：給紙ローラー、２３ａ３：捌きローラー
２３ｂ：ローラー部材、２３ｂ１：ピックアップローラー、２３ｂ２：給紙ローラー、２３ｂ３：捌きローラー
３０：開口部
１００Ａ、１００Ｂ、１００Ｃ、１００Ｄ：イメージングカートリッジ
１０１：感光体
１０２：帯電装置
１０３：潜像形成装置
１０４：現像装置
１０５：クリーニング装置
１１０：中間転写ベルト
１１１：回転ローラー
１１２：一次転写ローラー
１１３：二次転写ローラー
１１４：タイミングローラー
１１５：第２クリーニング装置
１１６：定着装置
１１７：排紙ローラー
１１８：排紙部
Ｓ：記録シート
【図１】
2017024822.tif 000003
【図２】
2017024822.tif 000004
【図３】
2017024822.tif 000005
【図４】
2017024822.tif 000006
【図５】
2017024822.tif 000007